(57)【要約】      （修正有）【課題】多様なデザインで、消費者の好みと購売意欲を増幅させる帽子構造を提供する。【解決手段】人の頭に被るニット帽１で、少なくとも一つの多様な変化の有る立体突出部１２１と、少なくとも一つの幾何学模様領域１２２とを有するキャップスリーブ部１２と、上記キャップスリーブ部の底部に位置し、底部が、奥へ折られて、縁に沿って、縫製されることにより、着用部が形成された縮め伸び部１３と、が備えられ、上記立体突出部と幾何学模様領域との両者を組み合わせることにより、異なる編地になって、多様な模様が形成され、利用的な視覚効果が得られる。【選択図】図１
0003190844.tif 000002
【実用新案登録請求の範囲】
【請求項１】
編み機で、縦糸或いは横糸のいずれかのニット糸を、編み込んでからなる一体編成で、頭部に被るニット帽であって、
少なくとも一つの多様な変化の有る立体突出部と、少なくとも一つの幾何学模様領域とを有するキャップスリーブ部と、
上記キャップスリーブ部の底部に位置し、底部が、奥へ折られて、縁に沿って、縫製されることにより、着用部が形成された縮め伸び部と、
が備えられ、
上記立体突出部と幾何学模様領域とが、両者の組み合わせることにより、異なる編地になって、多様な模様が形成される、
ことを特徴とする帽子構造。
【請求項２】
上記キャップスリーブ部に、編み機で縦糸或いは横糸のいずれかのニット糸を編み込んでからなり、少なくとも一つの幾何学模様領域を有する平面編地があり、また、平面編地に沿って、少なくとも一つの多様な変化の有る立体突出部が形成され、上記立体突出部と幾何学模様領域を互いに組み合わせることにより、様々なデザインが示され、また、平面編地の左右両端を回して縁に沿って縫い合わせて筒状の形状が形成されてから、その上縁端を縫い合わせる、ことを特徴とする請求項１に記載の帽子構造。
【請求項３】
上記キャップスリーブ部に、編み機で縦糸或いは横糸のいずれかのニット糸を編み込んでからなり、少なくとも一つの幾何学模様領域を有する筒状編地があり、上記筒状編地の上縁において、縁に沿って縫製されて、多様な立体突出部が形成され、上記立体突出部と幾何学模様領域を互いに組み合わせることにより、様々なデザインが実現される、ことを特徴とする請求項１に記載の帽子構造。
【請求項４】
上記キャップスリーブ部の立体突出部が、編み機で一体式のニットを五官の形状或いは四肢の形状の何れかの一つ或いは互いに組み合わせることによる形状になり、また、上記キャップスリーブ部の幾何学模様領域が、編み機により、一体式のニットで衣服のデザイン或いは装飾のデザインの何れかのひとつやその組み合わせにより編成される、ことを特徴とする請求項１と２及び３に記載の帽子構造。
【請求項５】
上記ニット帽において、更に、キャップスリーブ部の内側に、編み機で特別な裏地用の糸でニットを編んだ一体のデザイン形状を有する裏地が着けられ、また、上記裏地を、底部において、縁に沿って、上記ニット帽の縮め伸び部に縫い合わせ固定させる、二層の状態が実現されることを特徴とする請求項１、２、及び３に記載の帽子構造。
【考案の詳細な説明】
【技術分野】
【０００１】
本考案は、編み機で、縦糸或いは横糸のいずれかの、異なる色のニット糸を、編み込んでからなる一体編成で、頭部に被るニット帽であって、少なくとも一つの多様な変化の有る立体突出部と、少なくとも一つの幾何学模様領域とを有するキャップスリーブ部を有し、多様化だけでなく、立体的な視覚効果が得られ、そして、消費者の好みや購買意欲を増幅させる帽子を提供する。
【背景技術】
【０００２】
ニット衣料は其の伸縮性の高さ、着易さなどの特性を持つ事から着心地の良さや保温効果も有り多くの人々に好まれ、寒い時には防寒の為、温度の比較的高い室内を除けば、人々は保温の為の衣服、履物、帽子を着けなければならず、身体の各部位の温度を維持する為、市場には着ける事の出来る防寒保温用の品々が沢山有り、その中でも毛製品は保温性に優れ肌触りも柔らかいので多くの人々に好まれ、又その中でもニット帽、マフラー、手袋等の製品は頭部、首周り、及び手の部分を外に晒さないように保護し風や寒さから逃れる事が出来る上、装飾の効果も有り外出する人には保温の為の最も優れた身近な商品である。
【０００３】
一般に見られる毛の帽子は材質の機能性以外、柄やデザインが主要な選択肢の一つであり、一般的には柄の有る紡織品の製作には通常、柄のデザインを直接毛製品の帽子にプリントし、その中には特定の形をした布切れを利用し綿を詰め別な布か覆う物で毛の帽子にミシンで縫い付ける方法で特定の形状をした凹凸のある効果を出す事が出来る。
【０００４】
上記の一般に見られる毛の帽子の凹凸の効果は厚さを増す事でデザインを表現出来るが、平面の厚さを増やして圧力で凹凸を作り出しても其の効果は充分では無いため、それ故デザインの複雑な曲線、或いは不一定の厚さの時は布切れに詰め物をした物で無いかぎり複雑な曲線のデザインを完成する事は出来なく、また、毛の帽子の主体の織組織と特定の形状の織組織とが一体で成型されていない為、毛の帽子の洗濯などの耐久度は優れていなく、紡織品の応用に於いて豊富な変化の組み合わせを提供する事は出来ず早急な解決が求められる。
【０００５】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００６】
本考案の主な目的は、立体的な視覚の効果の有るニット帽が消費者の好みと購買意欲を増幅させる効果が有る帽子構造を提供する。
【０００７】
本考案の他の目的は、多様なデザインで、消費者の好みと購買意欲を増幅させる効果がある帽子構造を提供する。
【０００８】
本考案の更に他の目的は、豊富に造型を変化して組立てることができ、消費者の好みと購買意欲を増幅させる効果がある帽子構造を提供する。
【課題を解決するための手段】
【０００９】
請求項１の考案は、編み機で、縦糸或いは横糸のいずれかの、異なる色のニット糸を、編み込んでからなる一体編成で、頭部に被るニット帽であって、少なくとも一つの多様な変化の有る立体突出部と、少なくとも一つの幾何学模様領域とを有するキャップスリーブ部と、上記キャップスリーブ部の底部に位置し、底部が、奥へ折られて、縁に沿って、縫製されることにより、着用部が形成された縮め伸び部と、が備えられ、上記立体突出部と幾何学模様領域とが、両者の組み合わせることにより、異なる編地になって、多様な模様が形成される、ことを特徴とする帽子構造である。
【００１０】
請求項２の考案は、上記キャップスリーブ部に、編み機で縦糸或いは横糸のいずれかのニット糸を編み込んでからなり、少なくとも一つの幾何学模様領域を有する平面編地があり、また、平面編地に沿って、少なくとも一つの多様な変化の有る立体突出部が形成され、上記立体突出部と幾何学模様領域を互いに組み合わせることにより、様々なデザインが示され、また、平面編地の左右両端を回して縁に沿って縫い合わせて筒状の形状が形成されてから、その上縁端を縫い合わせる、ことを特徴とする請求項１に記載の帽子構造である。
【００１１】
請求項３の考案は、上記キャップスリーブ部に、編み機で縦糸或いは横糸のいずれかのニット糸を編み込んでからなり、少なくとも一つの幾何学模様領域を有する筒状編地があり、上記筒状編地の上縁において、縁に沿って縫製されて、多様な立体突出部が形成され、上記立体突出部と幾何学模様領域を互いに組み合わせることにより、様々なデザインが実現される、ことを特徴とする請求項１に記載の帽子構造である。
【００１２】
請求項４の考案は、上記キャップスリーブ部の立体突出部が、編み機で一体式のニットを五官の形状或いは四肢の形状の何れかの一つ或いは互いに組み合わせることによる形状になり、また、上記キャップスリーブ部の幾何学模様領域が、編み機により、一体式のニットで衣服のデザイン或いは装飾のデザインの何れかのひとつやその組み合わせにより編成される、ことを特徴とする請求項１と２及び３に記載の帽子構造である。
【００１３】
請求項５の考案は、上記ニット帽において、更に、キャップスリーブ部の内側に、編み機で特別な裏地用の糸でニットを編んだ一体のデザイン形状を有する裏地が着けられ、また、上記裏地を、底部において、縁に沿って、上記ニット帽の縮め伸び部に縫い合わせ固定させる、二層の状態が実現される、ことを特徴とする請求項１、２、及び３に記載の帽子構造である。
【００１４】
以下、図面を参照しながら、本考案の特徴や技術内容について、詳しく説明するが、それらの図面等は、参考や説明のためであり、本考案は、それによって制限されることが無い。
【図面の簡単な説明】
【００１５】
【図１】本考案の一実施形態の立体図である。
【図２】本考案の一実施形態の平面編地の平面図である。
【図３】本考案の一実施形態の平面編地の縫製図である。
【図４】本考案の一実施形態の平面編地の縫製図（一）である。
【図５】本考案の一実施形態の筒状編地図である。
【図６】本考案の一実施形態の筒状編地図である。
【図７】本考案の他の実施形態の立体図である。
【図８】本考案の他の構造の製作工程図である。
【図９】本考案の更に他の構造図である。
【図１０】本考案の更に他の構造の縫製工程断面図である。
【考案を実施するための形態】
【００１６】
図１乃至図６のように、本考案に係る帽子構造は、頭に被るニット帽であって、
ニット帽１は、編み機により縦糸又は横糸の何れかの一つのニット糸１１を編み込んでからなる一体形状で、全体として、内部にユーザーの頭部が収納されるための空間が形成され、ニット帽１には少なくとも一つの多様な変化の有る立体突出部と１２１と少なくとも一つの幾何学模様領域１２２を組み合わせたキャップスリーブ部１２が備えられ、キャップスリーブ部１２にある立体突出部１２１と幾何学模様領域１２２の両者は、互いに組み合わせる事で様々なデザインの形状を作る事が出来、そして、キャップスリーブ部１２の立体突出部１２１は編み機で一体式のニットが五官の形状或いは四肢の形状のどちらか或いは其の組み合わせによる形状が作成され、また、キャップスリーブ部１２の幾何学模様領域１２２は編み機の一体式のニットで其の衣服のデザイン或いは装飾デザインの何れかの一つ或いは其の組み合わせによる形状、そして、キャップスリーブ部１２と、キャップスリーブ部１２にある幾何学模様領域１２２とが、編み機で別々な色の組み合わせで一体のニットが出来上がって、そして、キャップスリーブ部１２の底部に、編み機でにっと糸１１等で編み込んで一体の縮め伸び部１３が形成され、また、縮め伸び部１３の縁を内側に折り縫製糸１３２で縁に沿って縫い合わせ、着用部１３１が形成され、キャップスリーブ部１２の少なくとも立体突出部１２１と少なくとも一つの幾何学模様領域１２２により構成された様々なデザインのニット帽１（例えば、動物の図案や人物の図案或いはアニメの図案等のデザイン）は、多様で立体的な視覚効果が実現されて、消費者の好みと購買意欲を増幅させる効果が得られる。
【００１７】
本考案に係るニット帽１は、編み機で縦糸或いは横糸の何れかの一つのニット糸１１で編み込んで製作した一体の編地のデザインを形成し、少なくとも一つの幾何学模様領域１２２の平面な編地１２３のデザインが出来、平面な編地１２３の縁に沿って、少なくとも多様な変化の有る立体突出部１２１があり、そして。立体突出部１２１と幾何学模様領域１２２は互いに組み合わす事で様々なデザインの形状が出来、平面な編地１２３の左右両縁を回させて連結し、縫製糸１２５で縫い合わせ、これにより、筒状になり、それから、更に、その上縁の開口部を縫い合わせると、キャップスリーブ部１２の内部に、ユーザーの頭部が収納される空間が形成され、また、キャップスリーブ部１２の底部において、編み機でニット糸１１を編み込んで一体の縮め伸び部１３が形成され、、そして、縮め伸び部１３の底部を内側に折り返し縫製糸１３２で縁に沿って縫い合わせ、着用部１３１が形成される（図２乃至図４を参照）。
【００１８】
本考案に係るニット帽１は、編み機で縦糸或いは横糸の何れかの一つのニット糸１１で編み込んで製作した一体の編地のデザインを形成し、少なくとも一つの幾何学模様領域１２２を有する筒状の編地１２４が形成され、筒状の編地１２４の上縁の開口部に沿って縫製糸１２５を使用し縫い合わせ、少なくとも一つの多様な変化の有る立体突出部１２１が形成されて、キャップスリーブ部１２が構成され、立体突出部１２１と幾何学模様領域１２２を互いに組み合わせる事で様々なデザインの形状が出来、そのため、本実用新案の内部に、ユーザーの頭部を収納するためのる空間が形成され、また、キャップスリーブ部の底部に、編み機でニット糸を編み込んで一体の縮め伸び部１３が形成され、其の縮め伸び部１３を縁を内側に折り返し縫製糸１３２で縫い合わせ、着用部１３１が形成される（図５と図６を参照）。
【００１９】
また、以上のように、少なくとも一つの立体突出部１２１と幾何学模様領域１２２との組み合わせる事により、様々なデザインの形状のキャップスリーブ部１２が形成され、其れに立体突出部１２１は五官の形状或いは四肢の形状のどちらか或いは其の組み合わせによる形状が実現され（例えば、動物の図案や人物の図案或いはアニメの図案等の形状）、又、幾何学模様領域１２２に、衣服図柄や装飾模様の何れかの一つ或いはその組み合わせものが形成されるため、より、模様が多様化され、また、キャップスリーブ部１２と、キャップスリーブ部１２に形成された幾何学模様領域１２２とは、編み機で異なる色の組み合わせで一体のニットになる。
【００２０】
又、図７乃至図１０のように、本実用新案に係る帽子構造は、人の頭部に被るニット帽１であり、其の上、ニット帽１は、編み機により縦糸或いは横糸の何れかの一つのニット糸１１等を編み込んで製作した一体編成になり、上記ニット帽１は、キャップスリーブ部１２を有し、また、上記キャップスリーブ部１２には、少なくとも一つの多様な変化の有る立体突出部１２１と少なくとも一つの幾何学模様領域１２２（キャップスリーブ部１２の細部構造が、前段で述べた事と同じなので、ここでは、それを省略する）と、キャップスリーブ部１２の縁に有る縮め伸び部１３とが、が備えられ、上記縮め伸び部１３の縁を内側に折り縫製糸１３２で縁に沿って縫い合わせて着用部１３１が形成され、着用部１３１の内側の縁にあらかじめ予定した長さを設定し、上記キャップスリーブ部１２の内側に更に裏地２を着け、その裏地２が、編み機で特別な裏地用の糸でニット生地を一体編成したものであり、上記ニット帽１の縮め伸び部１３の着用部１３１に、あらかじめ予定した長さに縫製糸２１を使用して縁に沿って縫い合わせ、また、その裏地２の先端において、更に、何本かの伸びる縫製糸２２で縫い合わせ、全体の内部にユーザーの頭部を収納出来る空間が形成され、裏地２は、キャップスリーブ部１２の内側に嵌められると（平面の編地１２３の形状と筒状の編地１２４の何れかの一つで、図に未表示）、キャップスリーブ部１２は裏地２の表面に覆う状態になり、これにより、着用した時、保温の効果が得られ、又、上記裏地２の先端と上記キャップスリーブ部１２の先端とにおいて、縫製糸２１で両者を縫い合わせて固定し、ニット帽１は、二層の状態になる。
【００２１】
以上のように、本考案に係るニット帽は、次の効果が得られ、
１、上記ニット帽１のキャップスリーブ部１２は、編み機により一体のニット地が五官のデザイン或いは四肢のデザインの何れかの一つの或いは互いの組み合わせによるデザインを有する少なくとも一つの立体突出部１２１があるため、上記ニット帽１の立体的な視覚の効果が現れ、
２、上記ニット帽１のキャップスリーブ部１２にある少なくとも一つの幾何学模様領域１２２により、上記幾何学模様領域１２２とキャップスリーブ部１２とは、両者が、編み機で様々な色の組み合わせにより一体編成され、其の衣服のデザインと装飾のデザインのどちらか或いは其の組み合わせのデザインが現れ、また、花柄やボーダー柄、波柄、動植物の柄、文字、数字の柄或いはアニメの柄のデザインの何れかの一つ或いはそれらの組み合わせの形態でもよく、上記ニット帽１により、多様な形状の効果が実現される。
３、上記ニット帽１のキャップスリーブ部１２にある少なくとも一つの立体突出部１２１と少なくとも一つの幾何学模様領域１２２とにより、両者が、互いに組み合わせて様々なデザイン（例えば、動物のデザインや人物のデザイン或いはアニメのデザイン等の形状）を実現でき、そのため、上記ニット帽１は、全体として、より豊富な変化が実現される。
【００２２】
そのため、本考案は、より進歩的かつより実用的で、法に従って実用新案登録請求を出願する。
【００２３】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【符号の説明】
【００２４】
１      ニット帽
１１    ニット糸
１２    キャップスリーブ部
１２２  幾何学模様領域
１２３  平面の編地
１２４  筒状の編地
１２５  縫製糸
１３    縮め伸び部
１３１  着用部
１３２  縫製糸
２      裏地
２１    縫製糸
２２    縫製糸
【図１】
0003190844.tif 000003
【図２】
0003190844.tif 000004
【図３】
0003190844.tif 000005
【図４】
0003190844.tif 000006
【図５】
0003190844.tif 000007
【図６】
0003190844.tif 000008
【図７】
0003190844.tif 000009
【図８】
0003190844.tif 000010
【図９】
0003190844.tif 000011
【図１０】
0003190844.tif 000012
【手続補正書】
【提出日】平成26年1月14日(2014.1.14)
【手続補正１】
【補正対象書類名】実用新案登録請求の範囲
【補正対象項目名】全文
【補正方法】変更
【補正の内容】
【実用新案登録請求の範囲】
【請求項１】
編み機で、縦糸或いは横糸のいずれかのニット糸を、編み込んでからなる一体編成で、頭部に被るニット帽であって、
少なくとも一つの多様な変化の有る立体突出部と、少なくとも一つの幾何学模様領域とを有するキャップスリーブ部と、
上記キャップスリーブ部の底部に位置し、底部が、奥へ折られて、縁に沿って、縫製されることにより、着用部が形成された縮め伸び部と、
が備えられ、
上記立体突出部と幾何学模様領域とが、両者の組み合わせることにより、異なる編地になって、多様な模様が形成される、
ことを特徴とする帽子構造。
【請求項２】
上記キャップスリーブ部に、編み機で縦糸或いは横糸のいずれかのニット糸を編み込んでからなり、少なくとも一つの幾何学模様領域を有する平面編地があり、また、平面編地に沿って、少なくとも一つの多様な変化の有る立体突出部が形成され、上記立体突出部と幾何学模様領域を互いに組み合わせることにより、様々なデザインが示され、また、平面編地の左右両端を回して縁に沿って縫い合わせて筒状の形状が形成されてから、その上縁端を縫い合わせる、ことを特徴とする請求項１に記載の帽子構造。
【請求項３】
上記キャップスリーブ部に、編み機で縦糸或いは横糸のいずれかのニット糸を編み込んでからなり、少なくとも一つの幾何学模様領域を有する筒状編地があり、上記筒状編地の上縁において、縁に沿って縫製されて、多様な立体突出部が形成され、上記立体突出部と幾何学模様領域を互いに組み合わせることにより、様々なデザインが実現される、ことを特徴とする請求項１に記載の帽子構造。
【請求項４】
上記キャップスリーブ部の立体突出部が、編み機で一体式のニットを五官の形状或いは四肢の形状の何れかの一つ或いは互いに組み合わせることによる形状になり、また、上記キャップスリーブ部の幾何学模様領域が、編み機により、一体式のニットで衣服のデザイン或いは装飾のデザインの何れかのひとつやその組み合わせにより編成される、ことを特徴とする請求項１〜３のいずれか一項に記載の帽子構造。
【請求項５】
上記ニット帽において、更に、キャップスリーブ部の内側に、編み機により一般的な裏地用糸でニットを編んだ一体のデザイン形状を有する裏地が着けられ、また、上記裏地を、底部において、縁に沿って、上記ニット帽の縮め伸び部に縫い合わせ固定させる、二層の状態が実現されることを特徴とする請求項１〜３のいずれか一項に記載の帽子構造。
【手続補正２】
【補正対象書類名】明細書
【補正対象項目名】００２０
【補正方法】変更
【補正の内容】
【００２０】
又、図７乃至図１０のように、本実用新案に係る帽子構造は、人の頭部に被るニット帽１であり、其の上、ニット帽１は、編み機により縦糸或いは横糸の何れかの一つのニット糸１１等を編み込んで製作した一体編成になり、上記ニット帽１は、キャップスリーブ部１２を有し、また、上記キャップスリーブ部１２には、少なくとも一つの多様な変化の有る立体突出部１２１と少なくとも一つの幾何学模様領域１２２（キャップスリーブ部１２の細部構造が、前段で述べた事と同じなので、ここでは、それを省略する）と、キャップスリーブ部１２の縁に有る縮め伸び部１３とが、が備えられ、上記縮め伸び部１３の縁を内側に折り縫製糸１３２で縁に沿って縫い合わせて着用部１３１が形成され、着用部１３１の内側の縁にあらかじめ予定した長さを設定し、上記キャップスリーブ部１２の内側に更に裏地２を着け、その裏地２が、編み機により一般的な裏地用糸でニット生地を一体編成したものであり、上記ニット帽１の縮め伸び部１３の着用部１３１に、あらかじめ予定した長さに縫製糸２１を使用して縁に沿って縫い合わせ、また、その裏地２の先端において、更に、何本かの伸びる縫製糸２２で縫い合わせ、全体の内部にユーザーの頭部を収納出来る空間が形成され、裏地２は、キャップスリーブ部１２の内側に嵌められると（平面の編地１２３の形状と筒状の編地１２４の何れかの一つで、図に未表示）、キャップスリーブ部１２は裏地２の表面に覆う状態になり、これにより、着用した時、保温の効果が得られ、又、上記裏地２の先端と上記キャップスリーブ部１２の先端とにおいて、縫製糸２１で両者を縫い合わせて固定し、ニット帽１は、二層の状態になる。
【手続補正書】
【提出日】平成26年3月18日(2014.3.18)
【手続補正１】
【補正対象書類名】実用新案登録請求の範囲
【補正対象項目名】全文
【補正方法】変更
【補正の内容】
【実用新案登録請求の範囲】
【請求項１】
編み機で、縦糸或いは横糸のいずれかのニット糸を、編み込んでからなる一体編成で、頭部に被るニット帽であって、
少なくとも一つの多様な変化の有る立体突出部と、少なくとも一つの幾何学模様領域とを有するキャップスリーブ部と、
上記キャップスリーブ部の底部に位置し、底部が、奥へ折られて、縁に沿って、縫製されることにより、着用部が形成された縮め伸び部と、
が備えられ、
上記立体突出部と幾何学模様領域とが、両者の組み合わせることにより、異なる編地になって、多様な模様が形成される、
ことを特徴とする帽子構造。
【請求項２】
上記キャップスリーブ部に、編み機で縦糸或いは横糸のいずれかのニット糸を編み込んでからなり、少なくとも一つの幾何学模様領域を有する平面編地があり、また、平面編地に沿って、少なくとも一つの多様な変化の有る立体突出部が形成され、上記立体突出部と幾何学模様領域を互いに組み合わせることにより、様々なデザインが示され、また、平面編地の左右両端を回して縁に沿って縫い合わせて筒状の形状が形成されてから、その上縁端を縫い合わせる、ことを特徴とする請求項１に記載の帽子構造。
【請求項３】
上記キャップスリーブ部に、編み機で縦糸或いは横糸のいずれかのニット糸を編み込んでからなり、少なくとも一つの幾何学模様領域を有する筒状編地があり、上記筒状編地の上縁において、縁に沿って縫製されて、多様な立体突出部が形成され、上記立体突出部と幾何学模様領域を互いに組み合わせることにより、様々なデザインが実現される、ことを特徴とする請求項１に記載の帽子構造。
【請求項４】
上記キャップスリーブ部の立体突出部が、編み機で一体式のニットを五官の形状或いは四肢の形状の何れかの一つ或いは互いに組み合わせることによる形状になり、また、上記キャップスリーブ部の幾何学模様領域が、編み機により、一体式のニットで衣服のデザイン或いは装飾のデザインの何れかのひとつやその組み合わせにより編成される、ことを特徴とする請求項１〜３のいずれか一項に記載の帽子構造。
【請求項５】
上記ニット帽において、更に、キャップスリーブ部の内側に、編み機で裏地用の糸でニットを編んだ一体のデザイン形状を有する裏地が着けられ、また、上記裏地を、底部において、縁に沿って、上記ニット帽の縮め伸び部に縫い合わせ固定させる、二層の状態が実現されることを特徴とする請求項１〜３のいずれか一項に記載の帽子構造。
【手続補正２】
【補正対象書類名】明細書
【補正対象項目名】００２０
【補正方法】変更
【補正の内容】
【００２０】
又、図７乃至図１０のように、本実用新案に係る帽子構造は、人の頭部に被るニット帽１であり、其の上、ニット帽１は、編み機により縦糸或いは横糸の何れかの一つのニット糸１１等を編み込んで製作した一体編成になり、上記ニット帽１は、キャップスリーブ部１２を有し、また、上記キャップスリーブ部１２には、少なくとも一つの多様な変化の有る立体突出部１２１と少なくとも一つの幾何学模様領域１２２（キャップスリーブ部１２の細部構造が、前段で述べた事と同じなので、ここでは、それを省略する）と、キャップスリーブ部１２の縁に有る縮め伸び部１３とが、が備えられ、上記縮め伸び部１３の縁を内側に折り縫製糸１３２で縁に沿って縫い合わせて着用部１３１が形成され、着用部１３１の内側の縁にあらかじめ予定した長さを設定し、上記キャップスリーブ部１２の内側に更に裏地２を着け、その裏地２が、編み機で裏地用の糸でニット生地を一体編成したものであり、上記ニット帽１の縮め伸び部１３の着用部１３１に、あらかじめ予定した長さに縫製糸２１を使用して縁に沿って縫い合わせ、また、その裏地２の先端において、更に、何本かの伸びる縫製糸２２で縫い合わせ、全体の内部にユーザーの頭部を収納出来る空間が形成され、裏地２は、キャップスリーブ部１２の内側に嵌められると（平面の編地１２３の形状と筒状の編地１２４の何れかの一つで、図に未表示）、キャップスリーブ部１２は裏地２の表面に覆う状態になり、これにより、着用した時、保温の効果が得られ、又、上記裏地２の先端と上記キャップスリーブ部１２の先端とにおいて、縫製糸２１で両者を縫い合わせて固定し、ニット帽１は、二層の状態になる。